(57)【要約】【課題】データ処理量の削減を図りながら、信頼性の高い付加情報をより安定に取得することができる、映像信号の付加情報取得装置とその方法を提供する。【解決手段】同一周期の３つの周期的タイミング（Ｔａ〜Ｔｃ）において、映像信号Ｓｖの２値化データが生成されるとともに、映像信号Ｓｖのレベルと２値化のスライスレベルとの差に応じた振幅データが生成される。生成された２値化データは、同一周期の２値化データ系列（Ｓ１３１〜Ｓ１３３）に分割され、振幅データも同様に振幅データ系列（Ｓ１４１〜Ｓ１４３）に分割される。３つの振幅データ系列に対しては、振幅データの平均を示す値が算出され、この平均値の比較から、３つの周期的タイミング（Ｔａ〜Ｔｃ）の順位付けが行なわれる。複数の２値化データ系列からフレーミングコートが検出された場合、上記した順位付けの結果に基づいて、最も信頼性の高い２値化データ系列が選択される。【選択図】      図１
2005027027.tif 000002
【特許請求の範囲】
【請求項１】
映像信号に含まれる付加情報を取得する付加情報取得装置であって、
共通の周期を有し位相が異なる複数の周期的なタイミングにおいて、上記映像信号のレベルと与えられた基準レベルとを比較し、当該比較結果に基づいて、上記映像信号の２値化データを生成する２値化データ生成手段と、
上記複数の周期的タイミングにおいて、上記映像信号のレベルと上記基準レベルとの差に応じた上記映像信号の振幅データを生成する振幅データ生成手段と、上記２値化データ生成手段において生成される２値化データのデータ列を、それぞれ同一の周期的タイミングで生成される複数の２値化データ系列に分割する第１の分割手段と、
上記振幅データ生成手段において生成される振幅データのデータ列を、それぞれ同一の周期的タイミングで生成される複数の振幅データ系列に分割する第２の分割手段と、
上記複数の２値化データ系列から、上記付加情報を特定するための所定のデータ列をそれぞれ検出するデータ列検出手段と、
上記複数の振幅データ系列を比較し、当該比較結果に基づいて、上記複数の周期的タイミングの順位付けを行なう順位付け手段と、
上記複数の２値化データ系列の中から、上記データ列検出手段において上記所定のデータ列が検出される２値化データ系列を選択し、上記選択した２値化データ系列が複数存在する場合は、上記順位付け手段の順位付け結果に基づいて、上記選択した複数の２値化データ系列の中から更に一の２値化データ系列を選択する選択手段と、を有する付加情報取得装置。
【請求項２】
上記順位付け手段は、
上記複数の振幅データ系列のそれぞれにおいて、一連の所定数の振幅データを積算する積算手段と、
上記複数の振幅データ系列のそれぞれに対応した上記積算手段の積算値を比較し、当該比較結果に基づいて、上記複数の周期的タイミングの順位付けを行なう第１の順位付け手段と、を含む、請求項１に記載の付加情報取得装置。
【請求項３】
上記順位付け手段は、
上記複数の振幅データ系列のそれぞれにおいて、一連の所定数の振幅データから最大または最小の振幅データを抽出するデータ抽出手段と、
上記複数の振幅データ系列のそれぞれに対応した上記データ抽出手段の抽出データを比較し、当該比較結果に基づいて、上記複数の周期的タイミングの順位付けを行なう第２の順位付け手段と、を含む、請求項１に記載の付加情報取得装置。
【請求項４】
第１のクロックパルス列の中から、該第１のクロックパルス列より周期が長い第２のクロックパルス列に対応したクロックパルスを抽出し、抽出したクロックパルスに同期するタイミング信号を生成するタイミング信号生成手段と、
上記第１のクロックパルス列に同期して入力される映像信号に基づいて、上記第２のクロックパルス列に同期した映像信号を補間し、上記補間した映像信号を上記タイミング信号に同期して出力する補間手段と、を有し、
上記２値化データ生成手段は、上記タイミング信号に同期したタイミングで、上記補間手段より出力される映像信号の２値化データを生成し、
上記振幅データ生成手段は、上記タイミング信号に同期したタイミングで、上記補間手段より出力される映像信号の振幅データを生成し、
上記第１の分割手段は、上記２値化データ生成手段において生成される２値化データのデータ系列を、当該データ系列上においてそれぞれ同一のデータ間隔を隔てた２値化データにより構成される複数の２値化データ系列に分割し、
上記第２の分割手段は、上記振幅データ生成手段において生成される振幅データのデータ系列を、当該データ系列上においてそれぞれ同一のデータ間隔を隔てた振幅データにより構成される複数の振幅データ系列に分割する、請求項１に記載の付加情報取得装置。
【請求項５】
上記順位付け手段は、
上記分割した振幅データ系列のそれぞれにおいて、一連の所定数の振幅データを積算する積算手段と、
上記分割した振幅データ系列のそれぞれに対応した上記積算手段の積算値を比較し、当該比較結果に基づいて、上記複数の周期的タイミングの順位付けを行なう第１の順位付け手段と、を含む、請求項４に記載の付加情報取得装置。
【請求項６】
上記順位付け手段は、
上記分割した振幅データ系列のそれぞれにおいて、一連の所定数の振幅データから最大または最小の振幅データを抽出するデータ抽出手段と、
上記分割した振幅データ系列のそれぞれに対応した上記データ抽出手段の抽出データを比較し、当該比較結果に基づいて、上記複数の周期的タイミングの順位付けを行なう第２の順位付け手段と、を含む、請求項４に記載の付加情報取得装置。
【請求項７】
映像信号に含まれる付加情報を取得する付加情報取得方法であって、
共通の周期を有し位相が異なる複数の周期的なタイミングにおいて、上記映像信号のレベルと与えられた基準レベルとを比較し、当該比較結果に基づいて、上記映像信号の２値化データを生成する第１の工程と、
上記複数の周期的タイミングにおいて、上記映像信号のレベルと上記基準レベルとの差に応じた上記映像信号の振幅データを生成する第２の工程と、
上記第１の工程において生成される２値化データのデータ列を、それぞれ同一の周期的タイミングで生成される複数の２値化データ系列に分割する第３の工程と、
上記第２の工程において生成される振幅データのデータ列を、それぞれ同一の周期的タイミングで生成される複数の振幅データ系列に分割する第４の工程と、上記複数の２値化データ系列から、上記付加情報を特定するための所定のデータ列をそれぞれ検出する第５の工程と、
上記複数の振幅データ系列を比較し、当該比較結果に基づいて、上記複数の周期的タイミングの順位付けを行なう第６の工程と、
上記複数の２値化データ系列の中から、上記第５の工程において上記所定のデータ列が検出される２値化データ系列を選択し、上記選択した２値化データ系列が複数存在する場合は、上記第６の工程における順位付け結果に基づいて、上記選択した複数の２値化データ系列の中から更に一の２値化データ系列を選択する第７の工程と、を有する付加情報取得方法。
【請求項８】
第１のクロックパルス列の中から、該第１のクロックパルス列より周期が長い第３のクロックパルス列に対応したクロックパルスを抽出し、抽出したクロックパルスに同期する第１のタイミング信号を生成する第１のタイミング信号生成手段と、
上記第１のクロックパルス列に同期して入力される映像信号に基づいて、上記第３のクロックパルス列に同期した映像信号を補間し、上記補間した映像信号を上記第１のタイミング信号に同期して出力する第１の補間手段と、
上記第１の補間手段において補間された映像信号から、輝度信号および色差信号を分離する分離手段と、
第１のタイミング信号のパルス列の中から、上記第１のタイミング信号より周期が長い第４のクロックパルス列に対応したパルスを抽出し、抽出したパルスに同期する第２のタイミング信号を生成する第２のタイミング信号生成手段と、
上記分離手段において分離される輝度信号および色差信号に基づいて、上記第４のクロックパルス列に同期した輝度信号および色差信号を補間し、上記補間した輝度信号および色差信号を上記第２のタイミング信号に同期して出力する第２の補間手段と、
上記映像信号に含まれる付加情報を取得する付加情報取得装置と、を有し、
上記付加情報取得装置は、
上記第１のクロックパルス列の中から、上記第１のクロックパルス列より周期が長い第２のクロックパルス列に対応したクロックパルスを抽出し、抽出したクロックパルスに同期するタイミング信号を生成する第３のタイミング信号生成手段と、
上記第１のクロックパルス列に同期して入力される映像信号に基づいて、上記第２のクロックパルス列に同期した映像信号を補間し、上記補間した映像信号を上記第３のタイミング信号に同期して出力する第３の補間手段と、
上記第３のタイミング信号に同期したタイミングにおいて、上記第３の補間手段より出力される映像信号のレベルと与えられた基準レベルとを比較し、当該比較結果に基づいて、上記映像信号の２値化データを生成する２値化データ生成手段と、
上記第３のタイミング信号に同期したタイミングにおいて、上記第３の補間手段より出力される映像信号のレベルと上記基準レベルとの差に応じた上記映像信号の振幅データを生成する振幅データ生成手段と、
上記２値化データ生成手段において生成される２値化データのデータ系列を、当該データ系列上においてそれぞれ同一のデータ間隔を隔てた２値化データにより構成される複数の２値化データ系列に分割する第１の分割手段と、
上記振幅データ生成手段において生成される振幅データのデータ系列を、当該データ系列上においてそれぞれ同一のデータ間隔を隔てた振幅データにより構成される複数の振幅データ系列に分割する第２の分割手段と、
上記複数の２値化データ系列から、上記付加情報を特定するための所定のデータ列をそれぞれ検出するデータ列検出手段と、
上記複数の振幅データ系列を比較し、当該比較結果に基づいて、上記複数の周期的タイミングの順位付けを行なう順位付け手段と、
上記複数の２値化データ系列の中から、上記データ列検出手段において上記所定のデータ列が検出される２値化データ系列を選択し、上記選択した２値化データ系列が複数存在する場合は、上記順位付け手段の順位付け結果に基づいて、上記選択した複数の２値化データ系列の中から更に一の２値化データ系列を選択する選択手段と、を含む映像信号処理装置。
【発明の詳細な説明】
【０００１】
【発明の属する技術分野】
本発明は、映像信号に含まれる付加情報を取得する付加情報取得装置とその方法及び映像信号処理装置に係り、例えば、テレビジョン信号の垂直ブランキング期間に埋め込まれる文字コードなどのデータを取得する付加情報取得装置とその方法及び映像信号処理装置に関するものである。
【０００２】
【従来の技術】
テレビジョン信号の垂直ブランキング期間には、映像信号を含まない冗長な期間が存在している。この冗長期間を利用して、文字コードなどのデータをテレビジョン受信機に伝送することにより、映像信号には含まれない文字や図形などの付加情報をディスプレイ画面上に表示させることを可能にする、いわゆる文字多重放送やデータ多重放送と呼ばれる放送方式が、現在実用化されている。
【０００３】
このようなテレビジョン信号の付加情報を復号する付加情報復号装置に関して、特許文献１に記載される技術が存在する。
【０００４】
特許文献１の図１１に図示されるＷＳＴデコーダ（３３）は、ＰＡＬ（ｐｈａｓｅ  ａｌｔｅｒｎａｔｉｏｎ  ｂｙ  ｌｉｎｅ）方式のコンポジット映像信号において一般に挿入される付加情報である、ＷＳＴ（ｗｏｒｌｄ  ｓｙｓｔｅｍ  ｔｅｌｅｔｅｘｔ）信号を復号する装置である。
ＷＳＴデコーダ（３３）には、２値化回路（８１）と、分割回路（８２）と、第１のＷＳＴスライス回路（８３）と、第２のＷＳＴスライス回路（８４）と、パリティ判別回路（８５）と、セレクタ（８６）とが設けられている。
【０００５】
２値化回路（８１）には、ＷＳＴ信号のデータレートに対し２倍の周波数でサンプリングされたコンポジット映像信号が入力される。このコンポジット映像信号は、２値化回路（８１）において、所定のスライスレベルで２値化される。
２値化回路（８１）から出力される２値化データは、分割回路（８２）において、１サンプル毎に交互に分割され、２系列のデータに分割される。その結果、ＷＳＴ信号のデータレートと等しいレートを有した、２系列の２値化データが得られる。
２系列の２値化データは、その一方が第１のＷＳＴスライス回路（８３）に入力され、他方が第２のＷＳＴスライス回路（８４）に入力される。ＷＳＴスライス回路（８３，８４）では、２値化データのデータ列の中から、ＷＳＴ信号の開始位置を示すフレーミングコードを検出して、そのフレーミングコードに続くＷＳＴ信号を抽出する処理がそれぞれ行われる。
抽出された各系列のＷＳＴ信号は、パリティ判別回路（８５）に入力される。パリティ判別回路（８５）では、ＷＳＴ信号の先頭に含まれる所定のハミングコードを検査する処理が行われる。これにより、２系列のＷＳＴ信号のうち、より信頼性の高いＷＳＴ信号が特定される。
そして、セレクタ（８６）では、パリティ判別回路（８５）によって特定された信頼性の高いＷＳＴ信号が選択され、後段の処理回路に出力される。
【０００６】
【特許文献１】
特開２００３−１８５５４号公報
【０００７】
【発明が解決しようとする課題】
このように、特許文献１に記載の装置によれば、位相をずらしてサンプリングされた２系列のコンポジット信号より取得されるＷＳＴ信号のうち、ハミングコードの検査結果に基づいて、より信頼性の高いＷＳＴ信号が選択される。すなわち、２値化回路（８１）において２値化を行なうタイミングが、コンポジット映像信号に含まれるＷＳＴ信号の周期的な信号に対して位相のずれを起こしている場合でも、１８０°異なる２つの位相で２値化を行なうことにより、少なくとも一方の位相では、他方の位相より安定した２値化データを得られることが期待できる。
【０００８】
しかしながら、一般に、映像信号に含まれる実際の付加情報の信号波形は、理想的な矩形波になっておらず、周波数が高くなるほど、正弦波状の波形になる。また、受信される信号の強度に応じて振幅に変動が生じたり、ノイズが含まれる場合もある。したがって、２つの位相で２値化を行なう方法でも安定した２値化データを得られない場合が有り得る。
【０００９】
また、特許文献１に記載の装置によれば、ＷＳＴ信号に含まれるハミングコードを用いてＷＳＴ信号の選択を行なっているが、この方式によれば、２系列の２値化データに対してそれぞれハミングコードの検査が行なわれるため、１系列のみを扱う場合に比べて処理量が２倍になる。ハミングコードの検査処理を２系列分並行して行なう場合には、そのための回路が２倍必要となる。したがって、このようなデータ処理量や回路規模の削減が望まれる。
【００１０】
本発明はかかる事情に鑑みてなされたものであり、その目的は、データ処理量の削減を図りながら、信頼性の高い付加情報をより安定に取得することができる、映像信号の付加情報取得装置とその方法及び映像信号処理装置を提供することにある。
【００１１】
【課題を解決するための手段】
上記の目的を達成するため、本発明の第１の観点の付加情報取得装置は、２値化データ生成手段と、振幅データ生成手段と、第１の分割手段と、第２の分割手段と、データ列検出手段と、順位付け手段と、選択手段とを有する。
上記２値化データ生成手段は、共通の周期を有し位相が異なる複数の周期的なタイミングにおいて、上記映像信号のレベルと与えられた基準レベルとを比較し、当該比較結果に基づいて、上記映像信号の２値化データを生成する。
上記振幅データ生成手段は、上記複数の周期的タイミングにおいて、上記映像信号のレベルと上記基準レベルとの差に応じた上記映像信号の振幅データを生成する。
上記第１の分割手段は、上記２値化データ生成手段において生成される２値化データのデータ列を、それぞれ同一の周期的タイミングで生成される複数の２値化データ系列に分割する。
上記第２の分割手段は、上記振幅データ生成手段において生成される振幅データのデータ列を、それぞれ同一の周期的タイミングで生成される複数の振幅データ系列に分割する。
上記データ列検出手段は、上記複数の２値化データ系列から、上記付加情報を特定するための所定のデータ列をそれぞれ検出する。
上記順位付け手段は、上記複数の振幅データ系列を比較し、当該比較結果に基づいて、上記複数の周期的タイミングの順位付けを行なう。
上記選択手段は、上記複数の２値化データ系列の中から、上記データ列検出手段において上記所定のデータ列が検出される２値化データ系列を選択し、上記選択した２値化データ系列が複数存在する場合は、上記順位付け手段の順位付け結果に基づいて、上記選択した複数の２値化データ系列の中から更に一の２値化データ系列を選択する。
【００１２】
本発明の第１の観点によれば、共通の周期を有し位相が異なる複数の周期的なタイミングにおいて、上記映像信号のレベルと与えられた基準レベルとを比較した結果に基づいて、上記２値化データ生成手段により、上記映像信号の２値化データが生成される。
また、この複数の周期的タイミングにおいて、上記映像信号のレベルと上記基準レベルとの差に応じた上記映像信号の振幅データが、上記振幅データ生成手段により生成される。
上記２値化データ生成手段において生成された２値化データのデータ列は、上記第１の分割手段によって、それぞれ同一の周期的タイミングで生成される複数の２値化データ系列に分割される。
上記振幅データ生成手段において生成された振幅データのデータ列は、上記第２の分割手段によって、それぞれ同一の周期的タイミングで生成される複数の振幅データ系列に分割される。
上記データ列検出手段では、分割された複数の２値化データ系列のそれぞれから、上記付加情報を特定するための所定のデータ列を検出する処理が行なわれる。
上記順位付け手段では、分割された複数の振幅データ系列が比較され、この比較結果に基づいて、上記複数の周期的タイミングの順位付けが行なわれる。
そして、上記選択手段では、分割された複数の２値化データ系列の中から、上記データ列検出手段において上記所定のデータ列が検出される２値化データ系列が選択される。ただし、上記選択した２値化データ系列が複数存在する場合は、上記順位付け手段の順位付け結果に基づいて、上記選択した複数の２値化データ系列の中から更に一の２値化データ系列が選択される。
【００１３】
また、上記順位付け手段は、積算手段と、第１の順位付け手段とを含んでも良い。
上記積算手段では、上記複数の振幅データ系列のそれぞれにおいて、一連の所定数の振幅データが積算される。
上記第１の順位付け手段では、上記複数の振幅データ系列のそれぞれに対応した上記積算手段の積算値が比較され、この比較結果に基づいて、上記複数の周期的タイミングの順位付けが行なわれる。
【００１４】
あるいは、上記順位付け手段は、データ抽出手段と、第２の順位付け手段とを含んでも良い。
上記データ抽出手段では、上記複数の振幅データ系列のそれぞれにおいて、一連の所定数の振幅データから最大または最小の振幅データが抽出される。
上記第２の順位付け手段では、上記複数の振幅データ系列のそれぞれに対応した上記データ抽出手段の抽出データが比較され、この比較結果に基づいて、上記複数の周期的タイミングの順位付けが行なわれる。
【００１５】
本発明の第２の観点の付加情報取得方法は、第１ないし第７の工程を有する。上記第１の工程では、共通の周期を有し位相が異なる複数の周期的なタイミングにおいて、上記映像信号のレベルと与えられた基準レベルとが比較され、当該比較結果に基づいて、上記映像信号の２値化データが生成される。
上記第２の工程では、上記複数の周期的タイミングにおいて、上記映像信号のレベルと上記基準レベルとの差に応じた上記映像信号の振幅データが生成される。
上記第３の工程では、上記第１の工程において生成される２値化データのデータ列が、それぞれ同一の周期的タイミングで生成される複数の２値化データ系列に分割される。
上記第４の工程では、上記第２の工程において生成される振幅データのデータ列が、それぞれ同一の周期的タイミングで生成される複数の振幅データ系列に分割される。
上記第５の工程では、上記複数の２値化データ系列から、上記付加情報を特定するための所定のデータ列がそれぞれ検出される。
上記第６の工程では、上記複数の振幅データ系列が比較され、この比較結果に基づいて、上記複数の周期的タイミングの順位付けが行なわれる。
そして、上記第７の工程では、上記複数の２値化データ系列の中から、上記第５の工程において上記所定のデータ列が検出される２値化データ系列が選択される。ただし、上記選択した２値化データ系列が複数存在する場合は、上記第６の工程における順位付け結果に基づいて、上記選択した複数の２値化データ系列の中から更に一の２値化データ系列が選択される。
【００１６】
本発明の第３の観点の映像信号処理装置は、第１のタイミング信号生成手段と、第１の補間手段と、分離手段と、第２のタイミング信号生成手段と、第２の補間手段と、付加情報取得装置とを有する。
上記第１のタイミング信号生成手段は、第１のクロックパルス列の中から、該第１のクロックパルス列より周期が長い第３のクロックパルス列に対応したクロックパルスを抽出し、抽出したクロックパルスに同期する第１のタイミング信号を生成する。
上記第１の補間手段は、上記第１のクロックパルス列に同期して入力される映像信号に基づいて、上記第３のクロックパルス列に同期した映像信号を補間し、上記補間した映像信号を上記第１のタイミング信号に同期して出力する。
上記分離手段は、上記第１の補間手段において補間された映像信号から、輝度信号および色差信号を分離する。
上記第２のタイミング信号生成手段は、第１のタイミング信号のパルス列の中から、上記第１のタイミング信号より周期が長い第４のクロックパルス列に対応したパルスを抽出し、抽出したパルスに同期する第２のタイミング信号を生成する。
上記第２の補間手段は、上記分離手段において分離される輝度信号および色差信号に基づいて、上記第４のクロックパルス列に同期した輝度信号および色差信号を補間し、上記補間した輝度信号および色差信号を上記第２のタイミング信号に同期して出力する。
上記付加情報取得装置は、上記映像信号に含まれる付加情報の取得を行なう装置であり、第３のタイミング信号生成手段と、第３の補間手段と、２値化データ生成手段と、振幅データ生成手段と、第１の分割手段と、第２の分割手段と、データ列検出手段と、順位付け手段と、選択手段とを含む。
上記第３のタイミング信号生成手段は、該第１のクロックパルス列の中から、該第１のクロックパルス列より周期が長い第２のクロックパルス列に対応したクロックパルスを抽出し、抽出したクロックパルスに同期するタイミング信号を生成する。
上記第３の補間手段は、上記第１のクロックパルス列に同期して入力される映像信号に基づいて、上記第２のクロックパルス列に同期した映像信号を補間し、上記補間した映像信号を上記第３のタイミング信号に同期して出力する。
上記２値化データ生成手段は、上記第３のタイミング信号に同期したタイミングにおいて、上記第３の補間手段より出力される映像信号のレベルと与えられた基準レベルとを比較し、当該比較結果に基づいて、上記映像信号の２値化データを生成する。
上記振幅データ生成手段は、上記第３のタイミング信号に同期したタイミングにおいて、上記第３の補間手段より出力される映像信号のレベルと上記基準レベルとの差に応じた上記映像信号の振幅データを生成する。
上記第１の分割手段は、上記２値化データ生成手段において生成される２値化データのデータ系列を、当該データ系列上においてそれぞれ同一のデータ間隔を隔てた２値化データにより構成される複数の２値化データ系列に分割する。
上記第２の分割手段は、上記振幅データ生成手段において生成される振幅データのデータ系列を、当該データ系列上においてそれぞれ同一のデータ間隔を隔てた振幅データにより構成される複数の振幅データ系列に分割する。
上記データ列検出手段は、上記複数の２値化データ系列から、上記付加情報を特定するための所定のデータ列をそれぞれ検出する。
上記順位付け手段は、上記複数の振幅データ系列を比較し、当該比較結果に基づいて、上記複数の周期的タイミングの順位付けを行なう。
上記選択手段は、上記複数の２値化データ系列の中から、上記データ列検出手段において上記所定のデータ列が検出される２値化データ系列を選択し、上記選択した２値化データ系列が複数存在する場合は、上記順位付け手段の順位付け結果に基づいて、上記選択した複数の２値化データ系列の中から更に一の２値化データ系列を選択する。
【００１７】
【発明の実施の形態】
以下、本発明の３つの実施形態について、図面に関連付けて説明する。
【００１８】
＜第１の実施形態＞
図１は、本発明の第１の実施形態に係る、映像信号の付加情報取得装置の構成の一例を示すブロック図である。
【００１９】
以降の説明では例として、図１に示す付加情報取得装置１において、ＰＡＬ方式のコンポジット映像信号から付加情報のＷＳＴ信号を取得する処理が行われるものとする。
まず、ＷＳＴ信号のフォーマットについて説明する。
【００２０】
ＷＳＴ信号は、ＰＡＬ方式のコンポジット映像信号における垂直ブランキング期間のライン番号６Ｈ〜２２Ｈおよび３１８Ｈ〜３３５Ｈに挿入される。データの符号化方式はＮＲＺ（ｎｏｎ  ｒｅｔｕｒｎ  ｔｏ  ｚｅｒｏ）方式であり、データレートは６．９３７５ＭＨｚ±２５ｐｐｍである。このデータレートは、ＰＡＬ方式の水平同期周波数ｆＨ（１５．６２５ｋＨｚ）の４４４倍として定義されている。１水平ラインに挿入されるＷＳＴ信号は４５バイトであり、１フレームにおいて１５３０バイト（４５バイト×３４ライン）の情報量となる。
【００２１】
図２は、１水平ライン中に挿入されるＷＳＴ信号の信号波形の一例を図解した図である。
【００２２】
ＷＳＴ信号は、水平同期信号のエッジから１０．３μｓ（＋０．４〜−１．０μｓ）の期間Ｐ１を経過した時点より挿入される。
４５バイトのＷＳＴ信号における先頭の２バイト分に相当する期間Ｐ２には、ＷＳＴ信号のデータレート（６．９３７５ＭＨｚ）に同期するクロック信号をＰＬＬ等で生成するためのクロック・ラン・イン信号（‘０’と‘１’を繰り返す信号）が挿入される。また、クロック・ラン・イン信号に続く１バイト分の期間Ｐ３には、ＷＳＴ信号のデータ領域の開始位置を示すフレーミングコードが挿入される。そして、このフレーミングコードに続く４バイト目以降の期間Ｐ４が、情報の内容を含むデータ領域となる。
【００２３】
次に、付加情報取得装置１の各構成要素について説明する。
【００２４】
図１に示す付加情報取得装置１は、２値化データ生成部１１と、振幅データ生成部１２と、第１の分割部１３と、第２の分割部１４と、フレーミングコード検出部１５と、順位付け部１６と、選択部１７と、誤り検出・訂正部１８とを有する。
２値化データ生成部１１は、本発明の２値化データ生成手段の一実施形態である。
振幅データ生成部１２は、本発明の振幅データ生成手段の一実施形態である。
第１の分割部１３は、本発明の第１の分割手段の一実施形態である。
第２の分割部１４は、本発明の第２の分割手段の一実施形態である。
フレーミングコード検出部１５は、本発明のデータ列検出手段の一実施形態である。
順位付け部１６は、本発明の順位付け手段の一実施形態である。
選択部１７は、本発明の選択手段の一実施形態である。
【００２５】
［２値化データ生成部１１］
２値化データ生成部１１は、共通の周期を有し位相が異なる複数の周期的なタイミングにおいて、入力されるＰＡＬ方式のコンポジット映像信号Ｓｖのレベルと所定のスライスレベルとを比較し、この比較結果に基づいて、コンポジット映像信号Ｓｖの２値化データＳ１１を生成する。
【００２６】
ここでは一例として、２値化データ生成部１１は、共通の周期ＰＴを有し位相が互いに１２０°ずれた３つの周期的タイミングＴａ、ＴｂおよびＴｃにおいて、コンポジット映像信号Ｓｖの２値化データＳ１１を生成するものとする。この周期ＰＴは、周波数に直すと６．９３７５ＭＨｚであり、ＷＳＴ信号の上述したデータレートと等しい。
この例によると、３つの周期的タイミングが３６０°を３等分した位相差（１２０°）を有していることから、２値化データ生成部１１では、周期ＰＴの３分の１のタイミング、すなわち、６．９３７５ＭＨｚの３倍の周波数（水平同期信号ｆＨに対しては４４４×３倍の周波数）で２値化データＳ１１の生成が行なわれることになる。
【００２７】
また、２値化データ生成部１１は、図示しない制御装置の制御によって、コンポジット映像信号Ｓｖ中のＷＳＴ信号が含まれる垂直ブランキング期間においてのみ、２値化処理を実行してもよい。これにより、付加情報の存在しない期間に無駄な処理が行なわれないため、消費電力の削減を図ることができる。
【００２８】
［振幅データ生成部１２］
振幅データ生成部１２は、上述した３つの周期的タイミング（Ｔａ、Ｔｂ、Ｔｃ）において、コンポジット映像信号Ｓｖのレベルと２値化処理のスライスレベルとの差に応じた、コンポジット映像信号の振幅データＳ１２を生成する。
【００２９】
また、振幅データ生成部１２についても、２値化データ生成部１１と同様に、図示しない制御装置の制御によって、コンポジット映像信号Ｓｖ中のＷＳＴ信号が含まれる垂直ブランキング期間においてのみ、振幅データの生成処理を実行させることにより、無駄な処理消費電力の削減を図っても良い。
【００３０】
［第１の分割部１３］
第１の分割部１３は、２値化データ生成部１１において生成される２値化データのデータ列を、それぞれ同一の周期的タイミングで生成される３つの２値化データ系列Ｓ１３１、Ｓ１３２、Ｓ１３３に分割する。
すなわち、第１の分割部１３は、２値化データ生成部１１において生成される２値化データＳ１１を、周期的タイミングＴａにおいて生成される２値化データ系列Ｓ１３１、周期的タイミングＴｂにおいて生成される２値化データ列Ｓ１３２、または、周期的タイミングＴｃにおいて生成される２値化データ列Ｓ１３３に振り分けて、３系列に分割する。これにより、周期ＰＴを有する３つの２値化データ系列（Ｓ１３１〜Ｓ１３３）が得られる。
【００３１】
［第２の分割部１４］
第２の分割部１４は、振幅データ生成部１２において生成される振幅データのデータ列を、それぞれ同一の周期的タイミングで生成される３つの振幅データ系列Ｓ１４１、Ｓ１４２、Ｓ１４３に分割する。
すなわち、第２の分割部１４は、振幅データ生成部１２において生成される振幅データＳ１２を、周期的タイミングＴａにおいて生成される振幅データ系列Ｓ１４１、周期的タイミングＴｂにおいて生成される振幅データ列Ｓ１４２、または、周期的タイミングＴｃにおいて生成される振幅データ列Ｓ１４３に振り分けて、３系列に分割する。これにより、周期ＰＴを有する３つの振幅データ系列（Ｓ１４１〜Ｓ１４３）が得られる。
【００３２】
［フレーミングコード検出部１５］
フレーミングコード検出部１５は、第１の分割部１３において分割される３つ２値化データ系列（Ｓ１３１〜Ｓ１３３）から、ＷＳＴ信号のデータ領域の開始時点を特定するための所定のフレーミングコードをそれぞれ検出する。
フレーミングコードが検出された場合には、検出された２値化データ系列とその検出時点を示す情報Ｓ１５を出力する。
【００３３】
［順位付け部１６］
順位付け部１６は、第２の分割部１４において分割される３つの振幅データ系列（Ｓ１４１〜Ｓ１４３）を比較し、この比較結果に基づいて、３つの周期的タイミング（Ｔａ、Ｔｂ、Ｔｃ）の順位付けを行なう。
【００３４】
コンポジット映像信号Ｓｖのレベルと２値化処理のスライスレベルとの差としての振幅が大きくなるほど、２値化処理における誤検出の確率が低くなり、生成される２値化データの信頼性が高くなる。逆に、この振幅が小さくなるほど、僅かな信号レベルの変動やノイズの影響によって２値化処理における誤検出の確率が高くなり、生成される２値化データの信頼性が低くなる。
そこで、順位付け部１６は、振幅データ系列（Ｓ１４１〜Ｓ１４３）を互いに比較することにより、この振幅が他と比較して大きくなる傾向を有するタイミングに対して、より高い順位を与えるような順位付けを行なう。これにより、順位付け部１６の順位付け結果から、より信頼性の高い２値化データを生成し得る周期的タイミングを特定することが可能になる。
【００３５】
図３は、この順位付け部１６の構成の一例を示すブロック図である。
【００３６】
図３に示す順位付け部１６は、積算部２１〜２３と、第１の順位付け部２４とを有する。
積算部２１〜２３は、本発明の積算手段の一実施形態である。
第１の順位付け部２４は、本発明の第１の順位付け手段の一実施形態である。
【００３７】
積算部２ｎ（ｎは１から３までの整数を示す）は、振幅データ列Ｓ１４ｎにおいて、一連の所定数の振幅データを積算する。この積算値は、一連の所定数の振幅データを平均した値に比例する。
【００３８】
例えば、積算部２ｎは、１バイトの２値化データに対応する８つの連続した振幅データを積算する。新たな振幅データが１つ入力されると、積算部２ｎは、この新たな振幅データより８つ前に入力された振幅データを積算値から除外し、その代わりに、この新たな振幅データとその前の７つの振幅データとを加算した新たな積算値を算出する。この積算値は、振幅データ列Ｓ１４ｎにおいて、８つの連続した振幅データの平均値に比例している。
【００３９】
第１の順位付け部２４は、積算部２１〜２３の積算値Ｓ２１〜Ｓ２３を比較し、この比較結果に基づいて、３つの周期的タイミング（Ｔａ、Ｔｂ、Ｔｃ）の順位付けを行なう。すなわち、第１の順位付け部２４は、一連の所定数のタイミングにおけるコンポジット映像信号Ｓｖの振幅の平均を比較した結果に基づいて、周期的タイミングの順位付けを行なう。
【００４０】
［選択部１７］
選択部１７は、第１の分割部１３において分割される３つの２値化データ系列（Ｓ１３１〜Ｓ１３３）の中から、フレーミングコード検出部１５においてフレーミングコードが検出される２値化データ系列を選択し、これを誤り検出・訂正部１８に出力する。ただし、この選択した２値化データ系列が複数存在する場合は、順位付け部１６の順位付け結果に基づいて、この選択した複数の２値化データ系列の中から更に一の２値化データ系列を選択する。
すなわち、ただ１つの２値化データ系列においてフレーミングコードが検出される場合は、それを誤り検出・訂正部１８に出力し、複数の２値化データ系列においてフレーミングコードが検出される場合は、その中から順位付け部１６の順位付け結果に基づいて１つの２値化データ系列を選択し、これを誤り検出・訂正部１８に出力する。
【００４１】
［誤り検出・訂正部１８］
誤り検出・訂正部１８は、選択部１７において選択された２値化データ系列から、フレーミングコード検出部１５の検出結果Ｓ１５に基づいて、ＷＳＴ信号のデータを抽出する。そして、抽出したデータに含まれるハミングコードに基づいて所定の誤り検出・訂正処理を行い、その結果をＷＳＴ信号の取得データＳ＿ＷＳＴとして出力する。
【００４２】
次に、上述した構成を有する図１に示す付加情報取得装置１の動作を説明する。
【００４３】
付加情報としてのＷＳＴ信号を含むコンポジット映像信号Ｓｖは、２値化データ生成部１１および振幅データ生成部１２に入力される。
２値化データ生成部１１では、共通の周期ＰＴを有し位相が互いに１２０°ずれた３つの周期的タイミングＴａ、ＴｂおよびＴｃにおいて、コンポジット映像信号Ｓｖのレベルと所定のスライスレベルとの比較が行なわれ、この比較結果に基づいて、２値化データが生成される。
また、振幅データ生成部１２では、上述した３つの周期的タイミング（Ｔａ、Ｔｂ、Ｔｃ）において、コンポジット映像信号Ｓｖのレベルと上記スライスレベルとの差に応じた振幅データが生成される。
【００４４】
２値化データ生成部１１において生成された２値化データのデータ列は、第１の分割部１３において、それぞれ同一の周期的タイミングで生成される３つの２値化データ系列Ｓ１３１〜Ｓ１３３に分割される。同様に、振幅データ生成部１２において生成された振幅データのデータ列は、第２の分割部１４において、それぞれ同一の周期的タイミングで生成される３つの振幅データ系列Ｓ１４１〜Ｓ１４３に分割される。
【００４５】
フレーミングコード検出部１５では、第１の分割部１３において分割された２値化データ系列Ｓ１３１〜Ｓ１３３のそれぞれから、フレーミングコードを検出する処理が行なわれる。
【００４６】
また、順位付け部１６では、第２の分割部１４において分割された振幅データ系列Ｓ１４１〜Ｓ１４３のそれぞれにおいて、一連の所定数の振幅データが積算され、その積算値を比較した結果に基づいて、３つの周期的タイミング（Ｔａ、Ｔｂ、Ｔｃ）の順位付けが行なわれる。
【００４７】
そして、選択部１７では、３つの２値化データ系列（Ｓ１３１〜Ｓ１３３）の中から、フレーミングコード検出部１５においてフレーミングコードが検出される２値化データ系列が選択される。ただし、複数の２値化データ系列からフレーミングコードが検出される場合には、順位付け部１６の順位付け結果に基づいて、この複数の２値化データ系列の中から更に一の２値化データ系列が選択される。
【００４８】
図４は、コンポジット映像信号Ｓｖに含まれるＷＳＴ信号と、３つの周期的タイミング（Ｔａ、Ｔｂ、Ｔｃ）との関係の一例を図解した図である。
図４における記号‘Ｂ（０）’〜‘Ｂ（４）’は、ＷＳＴ信号の各ビットに対応する期間を示し、記号‘ＴＨ’は、スライスレベルを示す。
【００４９】
図４の例において、周期タイミングＴａは、ＷＳＴ信号のレベル変化が著しい期間に含まれており、コンポジット映像信号Ｓｖの振幅（スライスレベルＴＨとの差）が非常に小さくなっている。
一方、周期タイミングＴｂおよびＴｃは、ＷＳＴ信号のレベル変化が比較的小さい期間に含まれており、周期タイミングＴａと比較して、コンポジット映像信号Ｓｖの振幅が大きくなっている。
また、周期タイミングＴｂと周期タイミングＴｃとを比較すると、タイミングＴｂのほうが僅かにＷＳＴ信号の極大点に近く、コンポジット映像信号Ｓｖの振幅が大きくなっている。
【００５０】
この図４に示す例によると、コンポジット映像信号Ｓｖの振幅は、周期タイミングＴｂにおいて最も大きくなり、周期タイミングＴｃにおいてその次に大きくなり、周期タイミングＴｃにおいて最小になる。したがって、この場合、順位付け部１６では、上記のような順番で周期タイミングの順位付けが行なわれる。
【００５１】
この図４に示すタイミング関係において、例えば、周期タイミングＴｂおよびＴｃの２値化データ系列（Ｓ１３２、Ｓ１３３）からフレーミングコードが検出されるたとする。この場合、選択部１７では、タイミングＴｂ，Ｔｃに対する順位付け部１６の順位付けが参照され、その結果、より信頼性の高い２値化データ系列として、周期タイミングＴｂにおいて生成される２値化データ系列Ｓ１３２が選択される。
【００５２】
このように選択部１７において選択された２値化データ系列は、誤り検出・訂正部１８に入力される。
誤り検出・訂正部１８では、フレーミングコード検出部１５の検出結果Ｓ１５に基づいて、入力の２値化データ系列からＷＳＴ信号のデータを抽出する処理が行われ、この抽出されたデータに含まれるハミングコードに基づいて所定の誤り検出・訂正処理が行なわれる。
【００５３】
以上説明したように、図１に示す映像信号の付加情報取得装置によれば、共通の周期を有し位相が異なる３つの周期的タイミング（Ｔａ〜Ｔｃ）において、映像信号Ｓｖのレベルと所定のスライスレベルとの比較が行なわれ、この比較結果に基づいて、２値化データが生成される。また、この３つの周期的タイミング（Ｔａ〜Ｔｃ）において、映像信号Ｓｖのレベルとスライスレベルとの差に応じた振幅データが生成される。生成された２値化データのデータ列は、それぞれ同一の周期的タイミングで生成される３つの２値化データ系列（Ｓ１３１〜Ｓ１３３）に分割される。また、生成された振幅データのデータ列は、それぞれ同一の周期的タイミングで生成される３つの振幅データ系列（Ｓ１４１〜Ｓ１４３）に分割される。３つの２値化データ系列（Ｓ１３１〜Ｓ１３３）に対しては、それぞれフレーミングコードの検出が行なわれる。また、３つの振幅データ系列（Ｓ１４１〜Ｓ１４３）に対しては、一連の所定数の振幅データがそれぞれ積算され、その積算値を比較した結果に基づいて、３つの周期的タイミング（Ｔａ〜Ｔｃ）の順位付けが行なわれる。そして、複数の２値化データ系列からフレーミングコードが検出された場合に、上記した順位付けの結果に基づいて、より信頼性の高い２値化データ系列が選択される。
このように、特許文献１に記載される装置に比べて、さらに多くの異なる位相において生成される２値化データ系列の中から、２値化データ系列を選択して付加情報を取得することができるため、信頼性の高い付加情報をより安定に取得することができる。
【００５４】
また、特許文献１に記載の装置のようにＷＳＴ信号に含まれるハミングコードを用いる必要はなく、映像信号の振幅に基づいて信頼性の高い２値化データ系列を選択しているため、系列ごとにハミングコードの検査処理を行なう場合に比べて、データ処理量を削減できる。また、系列ごとに独立した回路でハミングコードの検査処理を行なう場合に比べて、回路規模を削減することができる。
【００５５】
また、ハミングコードを用いた誤り検出・訂正処理は、ＷＳＴ方式の付加情報を復号する際に行なわれる処理であり、他の規格の付加情報を復号する際には、別に定められた誤り検出・訂正処理を行なう必要がある。すなわち、複数の規格の付加情報を復号可能とするためには、誤り検出・訂正部１８において、規格ごとに異なる誤り検出・訂正処理用の回路をそれぞれ搭載する必要がある。この場合、特許文献１に記載の装置では、系列ごとにハミングコードの検査処理を行なう必要があるため、これを独立した回路で並行に処理させようとすると、規格ごとに異なる誤り検出・訂正処理用の回路を、更に２系列分も搭載しなくてはならない。これに対し、図１に示す付加情報取得装置によれば、選択すべき２値化データ系列の数に依らず、誤り検出・訂正処理用の回路を規格ごとに１つ設けるだけで済み、回路規模の増大を抑えることができる。
【００５６】
また、特許文献１に記載の装置のようにＷＳＴ信号に含まれるハミングコードを用いる方法は、付加情報の規格に依存した方法であり、異なる規格の付加情報を取得するためには、その規格に合致した誤り訂正符号の検査および信頼性の評価結果に基づいて、２値化データ系列の選択を行なわなくてはならない。このため、２値化データ系列の選択を行なう回路では、規格ごとに異なる回路を設ける必要がある。これに対し、図１に示す付加情報取得装置によれば、映像信号の振幅に基づいて２値化データ系列の選択が行なわれるため、付加情報の規格に依存しない。したがって、複数の規格に対応可能な装置構成とした場合でも、付加情報の規格ごとに異なる特別な回路を選択部１７に設ける必要がなく、回路規模の増大を抑えることができる。
【００５７】
＜第２の実施形態＞
次に、本発明の第２の実施形態について述べる。
第２の実施形態は、上述した第１の実施形態に対して、周期タイミングの順位付け方法が異なる。
すなわち、本実施形態に係る付加情報取得装置１Ａは、図１に示す付加情報取得装置１における順位付け部１６を、図５に示す順位付け部１６Ａに置き換えたものである。その他の構成については、付加情報取得装置１と同一である。
【００５８】
図５は、本実施形態に係る順位付け部１６Ａの構成の一例を示すブロック図である。
【００５９】
図５に示す順位付け部１６Ａは、最大データ抽出部２１Ａ〜２３Ａと、第２の順位付け部２４Ａとを有する。
最大データ抽出部２１Ａ〜２３Ａは、本発明のデータ抽出手段の一実施形態である。
第２の順位付け部２４Ａは、本発明の第２の順位付け手段の一実施形態である。
【００６０】
最大データ抽出部２ｎＡ（ｎは１から３までの整数を示す）は、振幅データ列Ｓ１４ｎにおいて、一連の所定数の振幅データから最大の振幅データを抽出する。
【００６１】
例えば、最大データ抽出部２ｎＡは、１バイトの２値化データに対応する８つの連続した振幅データの中から、最大の振幅データを抽出する。新たな振幅データが１つ入力されると、最大データ抽出部２ｎＡは、この新たな振幅データより８つ前に入力された振幅データを抽出対象から除外し、その代わりに、この新たな振幅データとその前の７つの振幅データとを含む８つの抽出対象データから、新たな最大の振幅データを抽出する。
【００６２】
第２の順位付け部２４Ａは、最大データ抽出部２１Ａ〜２３Ａにおいて抽出される最大振幅データＳ２１Ａ〜Ｓ２３Ａを比較し、この比較結果に基づいて、３つの周期的タイミング（Ｔａ、Ｔｂ、Ｔｃ）の順位付けを行なう。
【００６３】
上記の構成を有する本実施形態に係る付加情報取得装置１Ａによれば、一連の所定数の振幅データに含まれる最大の振幅データを比較した結果に基づいて、３つの周期的タイミング（Ｔａ、Ｔｂ、Ｔｃ）の順位付けが行なわれる。このような方法でも、より振幅が大きくなる傾向を有したタイミングとそうでないタイミングとを識別することが可能である。したがって、上述した付加情報取得装置１Ａにおいても、図１に示す付加情報取得装置１と同様な処理が実現され、同等の効果を奏することが可能である。
【００６４】
＜第３の実施形態＞
次に、本発明の第３の実施形態について述べる。
第３の実施形態は、本発明の映像信号処理装置をクロマデコーダに適用したものである。
本実施形態に係るクロマデコーダは、ＰＡＬ方式のコンポジット映像信号を、輝度信号と色差信号とに分離し、サンプリングクロックが１３．５ＭＨｚのＩＴＵ−Ｒ６０１勧告に基づくデジタル信号規格の映像信号に変換する装置である。
【００６５】
図６は、本発明の第３の実施形態に係るクロマデコーダ２の構成の一例を示すブロック図である。
【００６６】
図６に示すクロマデコーダ２は、システムクロック発振器３１と、デジタルシグナルプロセッサ３２（ＤＳＰ）と、アナログ／デジタルコンバータ（Ａ／Ｄコンバータ）３３と、クランプ回路３４と、同期検出回路（ＳＹＮＣ回路）３５と、ＷＳＴ検出回路３６と、第１のタイミング発振器（第１のＤＴＯ）３７と、第１のサンプリングレートコンバータ（第１のＳＲＣ）３８と、輝度／クロマ分離回路（Ｙ／Ｃ分離回路）３９と、クロマ復調回路４０と、第２のタイミング発振器（第２のＤＴＯ）４１と、第２のサンプリングレートコンバータ（第２のＳＲＣ）４２と、視覚補正回路４３と、同期検出回路（ＳＹＮＣ回路）４４と、フォーマッタ４５と、ファーストイン／ファーストアウトメモリ（ＦＩＦＯ）４６とを有する。
第１のＤＴＯ３７は、本発明の第１のタイミング信号生成手段の一実施形態である。
第１のＳＲＣは、本発明の第１の補間手段の一実施形態である。
Ｙ／Ｃ分離回路３９およびクロマ復調回路を含むユニットは、本発明の分離手段の一実施形態である。
第２のＤＴＯ４１は、本発明の第２のタイミング信号生成手段の一実施形態である。
第２のＳＲＣ４２は、本発明の第２の補間手段の一実施形態である。
【００６７】
システムクロック発振器３１は、クロマデコーダ２内の各回路に供給するシステムクロックＣｓを発生する。クロマデコーダ２内の各回路は、このシステムクロックＣｓに基づいて動作する。システムクロックＣｓの周波数は、ＰＡＬ方式における色搬送波周波数ｆｓｃの４倍（１７．８ＭＨｚ）を基本として、その２倍以上の周波数に設定することが望ましい。ここでは例として、システムクロックＣｓの周波数を４０ＭＨｚとする。
【００６８】
ＤＳＰ３２は、クロマデコーダ２内の各回路の制御を行なう。
【００６９】
Ａ／Ｄコンバータ３３は、外部から供給されるアナログのコンポジット映像信号Ｓｃｖｂを入力し、これをシステムクロックＣｓでサンプリングして、デジタルデータに変換する。
【００７０】
クランプ回路３４は、入力されるコンポジット映像信号のペデスタルレベルが一定となるように、クランプ処理を行なう。
【００７１】
ＳＹＮＣ回路３５は、入力されるコンポジット映像信号から同期信号を抽出して、垂直同期タイミングおよび水平同期タイミングを検出する。検出した同期タイミングは、ＤＳＰ３２に供給される。
【００７２】
ＷＳＴ検出回路３６は、Ａ／Ｄコンバータ３３においてサンプリングされたコンポジット映像信号Ｓｃｖｂ＿Ｄから、垂直ブランキング期間に挿入されているＷＳＴ信号を抽出して復号する。このＷＳＴ取得回路３６については、後程詳しく説明する。
【００７３】
以上のように、クランプ処理がなされ、システムクロックＣｓでサンプリングされたデジタルのコンポジット映像信号は、第１のＳＲＣ３８に供給される。
【００７４】
第１のＤＴＯ３７は、システムクロックＣｓのクロックパルス列の中から、システムクロックＣｓより周期が長い第１の仮想クロックＣｖ１に対応したクロックパルスを抽出し、抽出したクロックパルスに同期する第１のタイミング信号Ｓ＿Ｔ１を生成する。
第１のタイミング信号Ｓ＿Ｔ１は、システムクロックＣｓに同期した信号であるとともに、そのパルス周期の平均値が第１の仮想クロックＣｖ１の周期と一致する信号である。
生成された第１のタイミング信号Ｓ＿Ｔ１は、第１のＳＲＣ３８に供給される。
【００７５】
ここで、第１の仮想クロックＣｖ１は、コンポジット映像信号からデジタル処理によって輝度信号および搬送色差信号の分離を行い、更にデジタル処理によって搬送色差信号のクロマ復調処理を行なうために必要となるサンプリングクロックである。すなわち、第１の仮想クロックＣｖ１は、ＰＡＬ方式における色搬送波周波数ｆｓｃの４倍（１７．８ＭＨｚ）の周波数を有する仮想的なクロックである。
【００７６】
一方、第１のタイミング信号Ｓ＿Ｔ１は、第１の仮想クロックＣｖ１とは逓倍関係にないシステムクロックＣｓに同期した信号である。そのため、第１のタイミング信号Ｓ＿Ｔ１は、第１の仮想クロックＣｖ１と完全には同期していない。すなわち、第１のタイミング信号Ｓ＿Ｔ１は、長期的に平均化した場合、そのパルス周期が第１の仮想クロックＣｖ１の周期と一致するものの、各々のパルスの間隔をみれば周期が一定でない不揃いな信号である。
【００７７】
第１のＳＲＣ３８は、システムクロックＣｓでサンプリングされたコンポジット映像信号の各サンプリングポイントの信号レベルに基づいて、アナログのコンポジット映像信号Ｓｖｃを第１の仮想クロックＣｖ１で仮想的にサンプリングした場合における各サンプリングポイントの信号レベルを補間により算出する。
すなわち、第１のＳＲＣ３８は、コンポジット映像信号のサンプリングレートを、システムクロックＣｓから第１の仮想クロックＣｖ１（１７．８ＭＨｚ）へ変換する、いわゆるサンプリングレート変換を行なう。そして、第１のＳＲＣ３８は、レート変換を行った後の信号を、第１のＤＴＯ３７により生成される第１のタイミング信号Ｓ＿Ｔ１に同期させて出力する。
【００７８】
したがって、第１のＳＲＣ３８から出力されるコンポジット映像信号は、第１の仮想クロックＣｖ１（１７．８ＭＨｚ）に同期したタイミングで仮想的にサンプリングされた信号であるが、その出力のタイミングはシステムクロックＣｓに同期しており、周期が一定でない不揃いな信号である。
【００７９】
第１の仮想クロックＣｖ１へサンプリングレート変換されたコンポジット映像信号は、Ｙ／Ｃ分離回路３９に供給される。
【００８０】
Ｙ／Ｃ分離回路３９は、第１の仮想クロックＣｖ１で仮想的にサンプリングされたコンポジット映像信号を、輝度信号と搬送色差信号（色搬送波に変調された状態の色差信号）とに分離する。コンポジット映像信号のサンプリングレートが第１の仮想クロックＣｖ１（１７．８ＭＨｚ）に変換されていることから、Ｙ／Ｃ分離回路３９において、デジタル的に合理的なＹ／Ｃ分離処理を実行することができる。
【００８１】
Ｙ／Ｃ分離回路３９において分離された輝度信号は、第２のＳＲＣ４２に供給される。また、Ｙ／Ｃ分離回路３９において分離された搬送色差信号は、クロマ復調回路４０に供給される。
【００８２】
クロマ復調回路４０は、第１の仮想クロックＣｖ１でサンプリングされた搬送色差信号から色差信号（Ｃｒ／Ｃｂ）を直交復調する。コンポジット映像信号のサンプリングレートが第１の仮想クロックＣｖ１（１７．８ＭＨｚ）に変換されていることから、クロマ復調回路４０において、デジタル的に合理的なクロマ復調処理を実行することができる。復調された色差信号（Ｃｒ／Ｃｂ）は第２のＳＲＣ４２に供給される。
【００８３】
なお、Ｙ／Ｃ分離回路３９及びクロマ復調回路４０には、データサンプルが周期的に不揃いな状態で入力されるが、デジタル処理を行なうので、問題なく処理を行なうことができる。
【００８４】
第２のＤＴＯ４１は、第１のタイミング信号Ｓ＿Ｔ１のクロックパルス列の中から、第１のタイミング信号Ｓ＿Ｔ１より周期が長い第２の仮想クロックＣｖ１に対応したクロックパルスを抽出し、抽出したクロックパルスに同期する第２のタイミング信号Ｓ＿Ｔ２を生成する。
第２のタイミング信号Ｓ＿Ｔ２は、第１のタイミング信号Ｓ＿Ｔ１に同期した信号であるとともに、そのパルス周期の平均値が第２の仮想クロックＣｖ１の周期と一致する信号である。
生成された第２のタイミング信号Ｓ＿Ｔ２は、第２のＳＲＣ４２に供給される。
【００８５】
ここで、第２の仮想クロックＣｖ２は、クロマデコーダ２から出力されるコンポーネント映像出力の出力クロックである。つまり、第２の仮想クロックは、ＩＴＵ−Ｒ６０１勧告に基づくデジタル信号規格において規定される１３．５ＭＨｚのクロックである。
【００８６】
一方、第２のタイミング信号Ｓ＿Ｔ２は、第１のタイミング信号Ｓ＿Ｔ１に同期した信号、つまり、システムクロックＣｓに同期した信号であり、第２の仮想クロックＣｖ２とは逓倍関係にない。そのため、第２のタイミング信号Ｓ＿Ｔ２は、第２の仮想クロックＣｖ２と完全には同期していない。すなわち、第２のタイミング信号Ｓ＿Ｔ２は、長期的に平均化した場合、そのパルス周期が第２の仮想クロックＣｖ２の周期と一致するものの、各々のパルスの間隔をみれば周期が一定でない不揃いな信号である。
【００８７】
第２のＳＲＣ４２は、第１の仮想クロックＣｖ１で仮想的にサンプリングされた輝度信号および色差信号（Ｃｒ／Ｃｂ）の各サンプリングポイントの信号レベルに基づいて、アナログの輝度信号および色差信号（Ｃｒ／Ｃｂ）を第２の仮想クロックＣｖ２で仮想的にサンプリングした場合における各サンプリングポイントの信号レベルを補間により算出する。
すなわち、第２のＳＲＣ４２は、コンポジット映像信号のサンプリングレートを、第１の仮想クロックＣｖ１から第２の仮想クロックＣｖ２へ変換する、いわゆるサンプリングレート変換を行なう。そして、第２のＳＲＣ４２は、レート変換を行った後の各サンプル信号を、第２のＤＴＯ４１により生成される第２のタイミング信号Ｓ＿Ｔ２に同期させて出力する。
【００８８】
したがって、第２のＳＲＣ４２から出力される輝度信号および色差信号（Ｃｒ／Ｃｂ）は、第２の仮想クロックＣｖ２（１３．５ＭＨｚ）で仮想的にサンプリングされた信号であるが、その出力タイミングはシステムクロックＣｓに同期しており、周期が一定ではない不揃いな信号である。
【００８９】
第２の仮想クロックＣｖ２へサンプリングレート変換された輝度信号は、視覚補正回路４３に供給される。また、第２の仮想クロックＣｖ２へサンプリングレート変換された色差信号（Ｃｒ／Ｃｂ）はフォーマッタ４５へ供給される。
【００９０】
視覚補正回路４３は、入力された輝度信号に対して階調補正を行って視覚補正を行なう。視覚補正された輝度信号Ｙは、フォーマッタ４５に供給される。
【００９１】
ＳＹＮＣ回路４４は、輝度信号成分から垂直同期信号及び水平同期信号を検出し、その同期タイミングをＤＳＰ３２に通知する。
【００９２】
フォーマッタ４５は、入力された輝度信号および色差信号（Ｃｒ／Ｃｂ）に、外部から入力されるＯＳＤ（Ｏｎ  Ｓｃｒｅｅｎ  Ｄｉｓｐｌａｙ）信号を合成する。フォーマッタ４５から出力された輝度信号および色差信号（Ｃｒ／Ｃｂ）は、ＦＩＦＯ４６に供給される。
【００９３】
ＦＩＦＯ４６は、第２のタイミング信号Ｓ＿Ｔ２に同期して周期が不揃いな状態で入力される輝度信号および色差信号（Ｃｒ／Ｃｂ）を一旦記憶し、例えば外部から入力される１３．５ＭＨｚのクロックタイミングで読み出し、スムージングした状態でデータを出力する。
【００９４】
図７は、ＷＳＴ検出回路３６の構成の一例を示すブロック図である。
【００９５】
図７に示すＷＳＴ検出回路３６は、第３のタイミング発振器（第３のＤＴＯ）５１と、第３のサンプリングレートコンバータ（第３のＳＲＣ）５２と、ＷＳＴデコード回路５３とを有する。
第３のＤＴＯ５１は、本発明の第３のタイミング信号生成手段の一実施形態である。
第３のＳＲＣ５２は、本発明の第３の補間手段の一実施形態である。
【００９６】
第３のＤＴＯ５１は、システムクロックＣｓのクロックパルス列の中から、システムクロックＣｓより周期が長い第３の仮想クロックＣｖ３に対応したクロックパルスを抽出し、抽出したクロックパルスに同期する第３のタイミング信号Ｓ＿Ｔ３を生成する。
第３のタイミング信号Ｓ＿Ｔ３は、システムクロックＣｓに同期した信号であるとともに、そのパルス周期の平均値が第３の仮想クロックＣｖ３の周期に一致する信号である。
生成された第３のタイミング信号Ｓ＿Ｔ３は、第３のＳＲＣ５２に供給される。
【００９７】
ここで、第３の仮想クロックＣｖ３は、ＷＳＴ信号のデータクロック（６．９３７５ＭＨｚ）の３倍の周波数である。すなわち、水平同期周波数ｆＨ（１５．６２５ｋＨｚ）の４４４×３倍の周波数２０．８１２５ＭＨｚである。
【００９８】
一方、第３のタイミング信号Ｓ＿Ｔ３は、システムクロックＣｓと同期した信号であり、第３の仮想クロックＣｖ３とは逓倍関係にない。そのため、第３のタイミング信号Ｓ＿Ｔ３は、第３の仮想クロックＣｖ３と完全には同期していない。すなわち、第３のタイミング信号Ｓ＿Ｔ３は、長期的に平均化した場合、そのパルス周期が第３の仮想クロックＣｖ２の周期と一致するものの、各々のパルスの間隔をみれば周期が一定でない不揃いな信号である。
【００９９】
第３のＳＲＣ５２は、Ａ／Ｄコンバータ１３においてシステムクロックＣｓでサンプリングされたコンポジット映像信号Ｓｃｖｂ＿Ｄの各サンプリングポイントの信号レベルに基づいて、アナログのコンポジット映像信号を第３の仮想クロックＣｖ３で仮想的にサンプリングした場合における各サンプリングポイントの信号レベルを補間により算出する。
すなわち、第３のＳＲＣ３２は、コンポジット映像信号のサンプリングタイミングを、システムクロックＣｓから第３の仮想クロックＣｖ３（２０．８１２５ＭＨｚ）へ変換する、いわゆるサンプリングレート変換を行なう。そして、第３のＳＲＣ３２は、レート変換を行った後の各サンプル信号を、第３のＤＴＯ５１により生成される第３のタイミング信号Ｓ＿Ｔ３に同期させて出力する。
【０１００】
したがって、第３のＳＲＣ５２から出力されるコンポジット映像信号は、第３の仮想クロックＣｖ３（１３．８７５ＭＨｚ）で仮想的にサンプリングされた信号であるが、その出力タイミングはシステムクロックＣｓに同期しており、周期が一定ではない不揃いな信号である。
【０１０１】
第３の仮想クロックＣｖ３でサンプリングレート変換されたコンポジット映像信号は、ＷＳＴデコード回路５３に供給される。
【０１０２】
ＷＳＴデコード回路５３は、このサンプリングレート変換されたコンポジット映像信号から、ＷＳＴ信号を取得する。
ＷＳＴデコード回路５３は、既に述べた本発明に係る付加情報取得装置１あるいは１Ａと同等な構成を有し、これと同等な動作によってＷＳＴ信号を取得する。
【０１０３】
ただし、第１の分割部１３は、２値化データ生成部１１において生成される２値化データのデータ系列を、このデータ系列上においてそれぞれ同一のデータ間隔を隔てた２値化データにより構成される３つの２値化データ系列に分割する。これにより、ＷＳＴ信号のデータクロック（６．９３７５ＭＨｚ）に等しいデータレートを有した３つの２値化データ系列が得られる。
同様に、第２の分割部１４は、振幅データ生成部１２において生成される振幅データのデータ系列を、このデータ系列上においてそれぞれ同一のデータ間隔を隔てた振幅データにより構成される３つの振幅データ系列に分割する。これにより、３つの２値化データ系列に対応した３つの振幅データ系列が得られる。
【０１０４】
このようにして得られた２値化データ系列および振幅データ系列に対する処理は、既に説明した付加情報取得装置１あるいは１Ａと同様である。
【０１０５】
以上のように、本実施形態に係るＷＳＴ検出回路３６によれば、第３のＤＴＯ５１において、システムクロックＣｓのクロックパルス列の中から、システムクロックＣｓより周期が長い第３の仮想クロックＣｖ３に対応したクロックパルスが抽出され、この抽出されたクロックパルスに同期する第３のタイミング信号Ｓ＿Ｔ３が生成される。また、第３のＳＲＣ５２において、システムクロックＣｓに同期して入力されるコンポジット映像信号に基づいて、第３の仮想クロックＣｖ３に同期したコンポジット映像信号が補間され、この補間されたコンポジット映像信号が第３のタイミング信号Ｓ＿Ｔ３に同期して出力される。そして、この補間されたコンポジット映像信号から、ＷＳＴ信号による付加情報が取得される。
したがって、ＷＳＴ信号のデータクロックと同期していないシステムクロックＣｓによりＷＳＴデータＳ＿ＷＳＴを取得することが可能となる。これにより、ＰＡＬ方式のコンポジット映像信号のクロマデコーダやラインクロック出力回路といった他の周波数のシステムクロックを必要とするモジュールと同一のシステムクロックを用いることが可能となり、これらのモジュールとともに１つの回路基板上に実装したり、１つの半導体チップ上に集積化することが可能となる。
【０１０６】
なお、本発明は上述した実施形態に限定されない。
例えば、上述した実施形態では、ＷＳＴ信号による付加情報を取得する例が説明されているが、本発明はこれに限定されず、他の種々の規格に基づく付加情報を取得することも可能である。
【０１０７】
また、上述した実施形態において、選択部１７により選択される２値化データ系列は３系列であるが、本発明において系列数は限定されておらず、システムクロックを十分高い周波数に設定することにより、選択される２値化データ系列を３系列以上にすることも可能である。
【０１０８】
また、図５に示す順位付け部１６Ａでは、一連の所定数の振幅データの中から最大の振幅データを抽出する最大データ抽出部が設けられているが、これを、一連の所定数の振幅データの中から最小の振幅データを抽出する最小データ抽出部に変更することも可能である。
【０１０９】
上述した実施形態において示されている周波数などの具体的な数値は、何れも説明上の一例に過ぎず、本発明はこれに限定されるものではない。
【０１１０】
【発明の効果】
本発明によれば、データ処理量の削減を図りながら、信頼性の高い付加情報をより安定に取得可能な、映像信号の付加情報取得装置とその方法及び映像信号処理装置を提供できる。
【図面の簡単な説明】
【図１】本発明の第１の実施形態に係る、映像信号の付加情報取得装置の構成の一例を示すブロック図である。
【図２】１水平ライン中に挿入されるＷＳＴ信号の信号波形の一例を図解した図である。
【図３】第１の実施形態に係る順位付け部の構成の一例を示すブロック図である。
【図４】コンポジット映像信号に含まれるＷＳＴ信号と、３つの周期的タイミングとの関係の一例を図解した図である。
【図５】第２の実施形態に係る順位付け部の構成の一例を示すブロック図である。
【図６】第３の実施形態に係るクロマデコーダの構成の一例を示すブロック図である。
【図７】図６に示すクロマデコーダにおける、ＷＳＴ検出回路の構成の一例を示すブロック図である。
【符号の説明】
１１…２値化データ生成部、１２…振幅データ生成部、１３…第１の分割部、１４…第２の分割部、１５…フレーミングコード検出部、１６，１６Ａ…順位付け部、１７…選択部、１８…誤り検出・訂正部１８、２１〜２３…積算部、２４…第１の順位付け部、２１Ａ〜２３Ａ…最大データ抽出部、２４Ａ…第２の順位付け部、３６…ＷＳＴ検出回路、５１…第３のタイミング発振器、５２…第３のサンプリングレートコンバータ、５３…ＷＳＴデコード回路
【図１】
2005027027.tif 000003
【図２】
2005027027.tif 000004
【図３】
2005027027.tif 000005
【図４】
2005027027.tif 000006
【図５】
2005027027.tif 000007
【図６】
2005027027.tif 000008
【図７】
2005027027.tif 000009